(57)【要約】【課題】外部の状況に応じた音声コンテンツを再生する。【解決手段】制御装置（１１）と通信装置（１６）と記憶装置（１２）とを備える音声再生機器（１）において、記憶装置は、再生リストを記憶しており、制御装置は、音声出力機器の種類を判別する判別処理と、再生リストが指定されていない場合、記憶装置から当該音声出力機器の種類に応じた再生リストを取得して音声コンテンツを再生する再生処理と、を行う。【選択図】図２
2019158933.tif 000002
【特許請求の範囲】
【請求項１】
少なくとも１つの制御装置と、少なくとも１つの通信装置と、少なくとも１つの記憶装置と、を備える音声再生機器であって、
上記記憶装置は、再生リストを記憶しており、
上記制御装置は、
上記通信装置を介して、当該音声再生機器に接続された音声出力機器の種類を判別する判別処理と、
上記再生リストが指定されていない場合、上記記憶装置から当該音声出力機器の種類に応じた再生リストを取得して音声コンテンツを再生する再生処理と、
を行うことを特徴とする音声再生機器。
【請求項２】
少なくとも１つの制御装置と、少なくとも１つの通信装置と、少なくとも１つの記憶装置と、を備える音声再生機器であって、
上記記憶装置は、再生リストを記憶しており、
上記制御装置は、
上記通信装置を介して、当該音声再生機器の使用環境を判別する判別処理と、
上記再生リストが指定されていない場合、上記記憶装置から当該使用環境に応じた再生リストを取得して音声コンテンツを再生する再生処理と、
を行うことを特徴とする音声再生機器。
【請求項３】
モーションセンサまたはＧＰＳ受信機をさらに備え、
上記制御装置は、
上記モーションセンサ、上記ＧＰＳ受信機、または上記記憶装置から取得して実行するアプリから上記使用環境の情報を取得する情報取得処理と、
当該使用環境の情報の変化に応じて上記再生リストを切り替える再生リスト選択処理と、
を行うことを特徴とする請求項２に記載の音声再生機器。
【請求項４】
少なくとも１つの制御装置と、少なくとも１つの通信装置と、少なくとも１つの記憶装置と、を備える音声再生機器であって、
上記記憶装置は、再生リストを記憶しており、
上記制御装置は、
上記通信装置を介して、当該音声再生機器を使用するユーザの状態を判別する判別処理と、
上記再生リストが指定されていない場合、上記記憶装置から当該ユーザの状態に応じた再生リストを取得して音声コンテンツを再生する再生処理と、
を行うことを特徴とする音声再生機器。
【請求項５】
人体センサまたは時計をさらに備え、
上記制御装置は、
上記人体センサまたは上記時計から上記ユーザの状態の情報を取得する情報取得処理と、
当該ユーザの状態の情報の変化に応じて上記再生リストを切り替える再生リスト選択処理と、
を行うことを特徴とする請求項４に記載の音声再生機器。
【請求項６】
上記制御装置は、
上記再生リスト毎に再生位置を上記記憶装置に記憶させる記憶処理
をさらに行うことを特徴とする請求項１〜５のいずれか１項に記載の音声再生機器。
【請求項７】
音声再生機器を制御する制御装置であって、
当該音声再生機器に接続された音声出力機器の種類を判別する判別処理と、
再生リストが指定されていない場合、当該音声出力機器の種類に応じた再生リストを取得して音声コンテンツを再生する再生処理と、
を行うことを特徴とする制御装置。
【請求項８】
音声再生機器を制御する制御方法であって、
当該音声再生機器に接続された音声出力機器の種類を判別するステップと、
再生リストが指定されていない場合、当該音声出力機器の種類に応じた再生リストを取得して音声コンテンツを再生するステップと、
を含んでいることを特徴とする制御方法。
【発明の詳細な説明】
【技術分野】
【０００１】
本発明は、音声再生機器、制御装置および制御方法に関する。
【背景技術】
【０００２】
音声再生機器を使用するユーザが聞きたい音声コンテンツを聞きたい順で再生するための再生リスト（曲集）を作成できるツールが知られている（例えば、非特許文献１）。音声再生機器は、再生リストの音声コンテンツを再生する場合、通常は一つの再生リストを使用する。
【０００３】
音声再生機器は、音楽の再生を一旦停止した後に再開すると、外部の状況の変化の有無を問わず、前回使用していた再生リストの、前回停止位置から再生を再開する。例えば、音声出力機器が変わっても、前回使用していた再生リストの、前回停止位置から再生を再開する。
【先行技術文献】
【非特許文献】
【０００４】
【非特許文献１】”GOOGLE PLAY MUSIC ヘルプ”、[online]、Google社、[平成30年2月8日検索]、インターネット＜URL:https://support.google.com/googleplaymusic/answer/1250213?visit_id=1-1636492849957180567-2181889023&rd=1＞
【発明の概要】
【発明が解決しようとする課題】
【０００５】
従来技術では、使用する再生リストは、ユーザが切り替えるまで、一つものが使用される。すなわち、従来技術には、状況が変化しても、ユーザが切り替えない限り、当該状況に応じた再生リストに切り替わらないという問題がある。
【０００６】
従って、ユーザは、場面に応じて複数の再生リストを用意したとしても、場面に応じてユーザ自身が切り替える必要がある。このことについて、次のようなニーズがある。
（１）自宅の書斎では、落ち着いた音楽を、スピーカで聞きたい。
（２）ジョギング中は、テンポの良い音楽を、ヘッドホンで聞きたい。
（３）車で移動中は、爽快な音楽を、カーオーディオで聞きたい。
【０００７】
本発明の一態様は、外部の状況に応じた音声コンテンツを再生することを目的とする。
【課題を解決するための手段】
【０００８】
上記の課題を解決するために、本発明の一態様に係る音声再生機器は、少なくとも１つの制御装置と、少なくとも１つの通信装置と、少なくとも１つの記憶装置と、を備える音声再生機器であって、上記記憶装置は、再生リストを記憶しており、上記制御装置は、上記通信装置を介して、当該音声再生機器に接続された音声出力機器の種類を判別する判別処理と、上記再生リストが指定されていない場合、上記記憶装置から当該音声出力機器の種類に応じた再生リストを取得して音声コンテンツを再生する再生処理と、を行う。
【０００９】
また、上記の課題を解決するために、本発明の一態様に係る音声再生機器は、少なくとも１つの制御装置と、少なくとも１つの通信装置と、少なくとも１つの記憶装置と、を備える音声再生機器であって、上記記憶装置は、再生リストを記憶しており、上記制御装置は、上記通信装置を介して、当該音声再生機器の使用環境を判別する判別処理と、上記再生リストが指定されていない場合、上記記憶装置から当該使用環境に応じた再生リストを取得して音声コンテンツを再生する再生処理と、を行う。
【００１０】
また、上記の課題を解決するために、本発明の一態様に係る音声再生機器は、少なくとも１つの制御装置と、少なくとも１つの通信装置と、少なくとも１つの記憶装置と、を備える音声再生機器であって、上記記憶装置は、再生リストを記憶しており、上記制御装置は、上記通信装置を介して、当該音声再生機器を使用するユーザの状態を判別する判別処理と、上記再生リストが指定されていない場合、上記記憶装置から当該ユーザの状態に応じた再生リストを取得して音声コンテンツを再生する再生処理と、を行う。
【００１１】
また、上記の課題を解決するために、本発明の一態様に係る制御装置は、音声再生機器を制御する制御装置であって、当該音声再生機器に接続された音声出力機器の種類を判別する判別処理と、再生リストが指定されていない場合、当該音声出力機器の種類に応じた再生リストを取得して音声コンテンツを再生する再生処理と、を行う。
【００１２】
また、上記の課題を解決するために、本発明の一態様に係る制御方法は、音声再生機器を制御する制御方法であって、当該音声再生機器に接続された音声出力機器の種類を判別するステップと、再生リストが指定されていない場合、当該音声出力機器の種類に応じた再生リストを取得して音声コンテンツを再生するステップと、を含んでいる。
【発明の効果】
【００１３】
本発明の一態様によれば、外部の状況に応じた音声コンテンツを再生することができるとの効果を奏する。
【図面の簡単な説明】
【００１４】
【図１】本発明の実施形態１に係る音声再生システムの構成を示す図である。
【図２】本発明の実施形態１に係る音声再生機器の構成を示すブロック図である。
【図３】（ａ）〜（ｃ）は、本発明の実施形態１に係る再生リストを示す表である。
【図４】本発明の実施形態１に係る音声再生機器における、再生リストの切り替わりを示すシーケンスチャートである。
【図５】（ａ）は、本発明の実施形態１に係る音声再生機器における、音声出力機器の登録の処理を示すフローチャートである。（ｂ）は、本発明の実施形態１に係る音声再生機器における、再生開始操作の処理を示すフローチャートである。
【図６】（ａ）〜（ｄ）は、本発明の実施形態２に係る再生リストを示す表である。
【図７】本発明の実施形態２に係る音声再生機器における、再生リストの切り替わりを示すシーケンスチャートである。
【図８】（ａ）は、本発明の実施形態２に係る音声再生機器における、使用環境の登録の処理を示すフローチャートである。（ｂ）は、本発明の実施形態２に係る音声再生機器における、再生開始操作の処理を示すフローチャートである。
【図９】（ａ）〜（ｃ）は、本発明の実施形態３に係る再生リストを示す表である。
【図１０】本発明の実施形態３に係る音声再生機器における、再生リストの切り替わりを示すシーケンスチャートである。
【図１１】（ａ）は、本発明の実施形態３に係る音声再生機器における、ユーザの状態の登録の処理を示すフローチャートである。（ｂ）は、本発明の実施形態３に係る音声再生機器における、再生開始操作の処理を示すフローチャートである。
【発明を実施するための形態】
【００１５】
〔実施形態１〕
以下、本発明の実施形態１について、詳細に説明する。
【００１６】
本発明の実施形態１に係る音声再生機器１は、少なくとも１つの制御部（制御装置）１１と、少なくとも１つの通信部（通信装置）１６と、少なくとも１つの記憶部（記憶装置）１２と、を備える音声再生機器１であって、記憶部１２は、再生リストを記憶しており、制御部１１は、通信部１６を介して、音声再生機器１に接続された音声出力機器の種類を判別する判別処理と、上記再生リストが指定されていない場合、記憶部１２から当該音声出力機器の種類に応じた再生リストを取得して音声コンテンツを再生する再生処理と、を行う。
【００１７】
本発明の実施形態１に係る制御部１１は、音声再生機器１を制御する制御部１１であって、音声再生機器１に接続された音声出力機器の種類を判別する判別処理と、再生リストが指定されていない場合、当該音声出力機器の種類に応じた再生リストを取得して音声コンテンツを再生する再生処理と、を行う。
【００１８】
本発明の実施形態１に係る制御方法は、音声再生機器１を制御する制御方法であって、音声再生機器１に接続された音声出力機器の種類を判別するステップと、再生リストが指定されていない場合、当該音声出力機器の種類に応じた再生リストを取得して音声コンテンツを再生するステップと、を含んでいる。
【００１９】
図１は、本実施形態に係る音声再生システム５の構成を示す図である。図１に示すように、音声再生システム５は、音声再生機器１と、スピーカ２、ヘッドホン３、カーオーディオ４等の音声出力機器とを備えている。音声再生機器１は、無線通信により接続して、接続した音声出力機器から音声を出力するシステムである。
【００２０】
（音声再生機器１の構成）
図２は、本実施形態に係る音声再生機器１の構成を示すブロック図である。図２に示すように、音声再生機器１は、制御部１１、記憶部１２、表示部１３、入力部１４、検知部１５、および、通信部１６を備えている。
【００２１】
制御部１１は、音声再生機器１全体を制御する部分であり、例えば、ＣＰＵ（Central Processing Unit）等である。制御部１１は、通信部１６を介して接続された音声出力機器の情報を取得する情報取得処理、取得した音声出力機器の種類と再生リストとを関連付ける処理、再生リストを選択する再生リスト選択処理、再生リスト毎に再生位置を記憶部に記憶させる記憶処理等を行う。再生リストは、ユーザが聞きたい音声コンテンツをユーザが指定した順に再生するためのリストである。
【００２２】
図２に示すように、制御部１１は、ソフトウェアモジュールとして、音声出力機器判別部１１１、状況判断部１１２、音声再生部１１３、再生リスト作成部１１４、再生リスト選択部１１５、再生リスト関連付け部１１６、通信機器接続部１１７、および、楽曲デコード部１１８を備えている。
【００２３】
音声出力機器判別部１１１は、音声再生機器１に接続された音声出力機器の種類を判別する。状況判断部１１２は、検知部１５を介して取得した情報から外部の状況を判別する。なお、外部の状況とは、例えば、音声再生機器に接続された音声出力機器の種類、音声再生機器の使用環境（ユーザのいる場所またはユーザの動作）、ユーザの状態（ユーザのストレス状態または安静状態）等である。音声再生部１１３は、接続された音声出力機器に音声を出力させることにより、上記記憶装置から音声出力機器の種類に応じた再生リストを取得して音声コンテンツを再生する。再生リスト作成部１１４は、ユーザ操作に応じて再生リストを作成する。再生リスト関連付け部１１６は、再生リスト作成部１１４で作成した各再生リストと各音声出力機器とを関連付ける。
【００２４】
再生リスト選択部１１５は、再生リストの中から、接続された音声出力機器と関連付けされた再生リストを選択する。通信機器接続部１１７は、通信部１６を介して、音声出力機器とペアリングを行う。音声出力機器は、ペアリングを行うときに、機器名を送出しており、当該機器名をもとに、通信機器接続部１１７は、接続されている音声出力装置の種類を判別することができる。楽曲デコード部１１８は、音声コンテンツのデコードを行う。
【００２５】
記憶部１２は、音声出力機器の登録情報、再生リスト、音声コンテンツ、音声出力機器と再生リストの関連付け情報等を記憶する部分であり、例えば、ＨＤＤ（Hard Disk Drive）、ＳＳＤ（Solid State Drive）等である。表示部１３は、再生リスト等を表示する部分であり、例えば、ディスプレイ等である。入力部１４は、ユーザによる再生リストを切り替える等の操作を受け付けるものであり、例えば、ボタン、タッチパネル等である。検知部１５は、音声再生機器１の位置、高さ等の変化を検知する部分であり、例えば、加速度センサ、地磁気センサ、ＧＰＳ（Global Positioning System）受信機等である。
【００２６】
通信部１６は、音声出力機器、活動量計等の、接続された外部機器の情報を受信する。音声再生機器１と音声出力機器との間における通信は、限定されることなく、Bluetooth（登録商標、以下同様）、ＷｉＦｉ（登録商標）、移動体通信網等による通信であってもよいし、他の通信であってもよい。
【００２７】
各音声出力機器に対応した再生リストは、予めＵＩ（User Interface）操作で作成および編集することができる。
【００２８】
図３の（ａ）〜（ｃ）は、本実施形態に係る再生リストを示す表である。図４は、本実施形態に係る音声再生機器における、再生リストの切り替わりを示すシーケンスチャートである。
【００２９】
スピーカ２と図３の（ａ）に示す「再生リスト：書斎」が関連付けられている。図３の（ａ）に示すように、「再生リスト：書斎」には、１．赤い歌、２．青い歌、３．白い歌、４．黒い歌の順に曲が登録されている。
【００３０】
また、ヘッドホン３と図３の（ｂ）に示す「再生リスト：ジョギング」が関連付けられている。図３の（ｂ）に示すように、「再生リスト：ジョギング」には、１．猫の歌、２．犬の歌、３．鳥の歌、４．魚の歌の順に曲が登録されている。
【００３１】
さらに、カーオーディオ４と図３の（ｃ）に示す「再生リスト：ドライブ」が関連付けられている。図３の（ｃ）に示すように、「再生リスト：ドライブ」には、１．山の歌、２．海の歌、３．谷の歌、４．川の歌の順に曲が登録されている。
【００３２】
図４に示すように、音声再生機器１は、スピーカ２と接続している場合、「再生リスト：書斎」を使用して、１．赤い歌から順に曲を再生する。
【００３３】
また、音声再生機器１は、接続している音声出力機器がスピーカ２からヘッドホン３に切り替わると、「再生リスト：ジョギング」を使用して、１．猫の歌から順に曲を再生する。
【００３４】
さらに、音声再生機器１は、接続している音声出力機器がヘッドホン３からカーオーディオ４に切り替わると、「再生リスト：ドライブ」を使用して、１．山の歌から順に曲を再生する。
【００３５】
この場合、音声再生機器１は、音楽の再生を一旦停止した後に再開すると、音声出力機器の変化の有無を問わず、前回使用していた再生リストの、前回停止位置から再生を再開する。
【００３６】
図３の（ａ）に示すように、例えば、音声再生機器１は、「再生リスト：書斎」の前回停止位置が、１．赤い歌の１分１０秒であった場合、次に「再生リスト：書斎」を使用するときには、１．赤い歌の１分１０秒から再生を再開する。
【００３７】
また、図３の（ｂ）に示すように、音声再生機器１は、「再生リスト：ジョギング」の前回停止位置が、２．犬の歌の２分２０秒であった場合、次に「再生リスト：ジョギング」が使用されるときには２．犬の歌の２分２０秒から再生を再開する。
【００３８】
さらに、図３の（ｃ）に示すように、音声再生機器１は、「再生リスト：ドライブ」の前回停止位置が、３．谷の歌の３分３０秒であった場合、次に「再生リスト：ドライブ」が使用されるときには３．谷の歌の３分３０秒から再生を再開する。
【００３９】
また、ユーザは、入力部１４を介して再生リストを指定することができる。制御部１１は、入力部１４を介して受け付けたユーザの指定操作に基づいて、ユーザが指定した再生リストを特定する。
【００４０】
（音声再生機器１の処理）
図５の（ａ）は、本実施形態に係る音声再生機器１における、音声出力機器の登録の処理を示すフローチャートである。
【００４１】
（ステップＳ２０１）
音声再生機器１の制御部１１は、まず、入力部１４を介して、ユーザによる登録の操作が行われたか否かを判定する。登録操作が行われたと判定した場合（ステップＳ２０１のＹＥＳ）、制御部１１は、ステップＳ２０２の処理を行う。登録操作が行われていないと判定した場合（ステップＳ２０１のＮＯ）、制御部１１は、ステップＳ２０１の判定を再度行う。
【００４２】
（ステップＳ２０２）
次に、通信機器接続部１１７は、通信部１６を介して、接続された音声出力機器の情報を受信する。
【００４３】
（ステップＳ２０３）
そして、通信機器接続部１１７は、音声出力機器の情報を登録する。
【００４４】
（ステップＳ２０４）
再生リスト関連付け部１１６は、登録した音声出力機器名（種類）と「再生リスト無し」とを関連付ける。
【００４５】
図５の（ｂ）は、本実施形態に係る音声再生機器１における、再生開始操作の処理を示すフローチャートである。
【００４６】
（ステップＳ３０１）
音声再生機器１の制御部１１は、まず、入力部１４を介して、ユーザによる再生開始の操作が行われたか否かを判定する。再生開始操作が行われたと判定した場合（ステップＳ３０１のＹＥＳ）、制御部１１は、ステップＳ３０２の判定を行う。再生開始操作が行われていないと判定した場合（ステップＳ３０１のＮＯ）、制御部１１は、ステップＳ３０１の判定を再度行う。
【００４７】
（ステップＳ３０２）
再生リスト選択部１１５は、再生する再生リストを指定されているか否かを判定する。
【００４８】
再生する再生リストが指定されていると判定した場合（ステップＳ３０２のＹＥＳ）、再生リスト選択部１１５は、指定された再生リストの情報を再生リスト関連付け部１１６に出力する。その後、制御部１１は、ステップＳ３０５の処理を実行する。
【００４９】
再生する再生リストが指定されていないと判定した場合（ステップＳ３０２のＮＯ）、再生リスト選択部１１５は、ステップＳ３０３の判定を行う。
【００５０】
（ステップＳ３０３）
再生リスト選択部１１５は、音声出力機器の機器名と関連付けされた再生リストがあるか否かを判定する。
【００５１】
音声出力機器の機器名と関連付けされた再生リストがあると判定した場合（ステップＳ３０３のＹＥＳ）、制御部１１は、ステップＳ３０６の処理を実行する。
【００５２】
音声出力機器の機器名と関連付けされた再生リストがないと判定した場合（ステップＳ３０３のＮＯ）、制御部１１は、ステップＳ３０４の処理を実行する。
【００５３】
（ステップＳ３０４）
制御部１１は、ユーザに再生リストの指定を促すためのメッセージ（例えば、「お好みの再生リストを指定してください。」等）を表示部１３に表示させる。そして、制御部１１は、入力部１４を介してユーザの指定操作を受け付けて、ユーザに指定された再生リストの情報を再生リスト関連付け部１１６に出力する。
【００５４】
（ステップＳ３０５）
再生リスト関連付け部１１６は、音声出力機器の機器名と、ユーザ指定の再生リストとを関連付ける。
【００５５】
（ステップＳ３０６）
音声再生部１１３は、記憶部１２から音声出力機器の機器名と関連付けられた再生リストを取得して音声コンテンツを再生する。詳細には、音声再生部１１３は、記憶部１２に記憶されている音声コンテンツを再生リストに従って再生し、通信部１６を介して、音声出力機器（スピーカ２、ヘッドホン３、カーオーディオ４等）に出力する。
【００５６】
（実施形態１の効果）
本実施形態によれば、音声出力機器が切り替えられた場合に、切り替え後の音声出力機器に応じて再生リストを切り替えて、切り替え後の再生リストに従って音声コンテンツを再生する。このため、ユーザ自身が再生リストを選択しなくても、音声出力機器の切り替えに応じて再生リストを切り替えることができる。
【００５７】
本実施形態によれば、音声の再生を一旦停止した後に再開すると、音声出力機器の有無を問わず、前回使用していた再生リストの、前回停止位置から再生を再開することができる。このため、再生リスト内の音声コンテンツの再生頻度を均等にすることができるため、再生リスト内の音声コンテンツを満遍なく再生することができる。
【００５８】
〔実施形態２〕
本発明の実施形態２について、以下に説明する。なお、説明の便宜上、上記実施形態にて説明した部材と同じ機能を有する部材については、同じ符号を付記し、その説明を繰り返さない。
【００５９】
本発明の実施形態２に係る音声再生機器１は、少なくとも１つの制御部１１と、少なくとも１つの通信部１６と、少なくとも１つの記憶部１２と、を備える音声再生機器１であって、記憶部１２は、再生リストを記憶しており、制御部１１は、通信部１６を介して、音声再生機器１の使用環境を判別する判別処理と、上記再生リストが指定されていない場合、記憶部１２から当該使用環境に応じた再生リストを取得して音声コンテンツを再生する再生処理と、を行う。
【００６０】
本実施形態に係る音声再生機器１は、モーションセンサまたはＧＰＳ受信機をさらに備えている。モーションセンサは、例えば、加速度センサ、地磁気センサ等である。ＧＰＳ受信機は、ＧＰＳ衛星からＧＰＳ信号を受信して、現在位置を特定する。
【００６１】
制御部１１は、モーションセンサ、ＧＰＳ受信機、または記憶部１２から取得して実行するアプリから音声再生機器１の使用環境の情報を取得する情報取得処理、取得した使用環境と再生リストとを関連付ける処理等を行う。アプリは、インストールされたアプリケーションソフトウェアであり、例えば、経路保存アプリ、カーナビアプリ等である。記憶部１２は、音声再生機器１の使用環境の登録情報等を記憶する。
【００６２】
状況判断部１１２は、モーションセンサ、ＧＰＳ受信機、または記憶部１２から取得して実行するアプリを介して取得した情報から音声再生機器１の使用環境（例えば、自宅にいる、ジョギング中である、友人宅にいる、車で移動中等）を判別する。音声再生部１１３は、記憶部１２から使用環境に応じた再生リストを取得して音声コンテンツを再生する。再生リスト関連付け部１１６は、再生リスト作成部１１４で作成した各再生リストと各使用環境とを関連付ける。再生リスト選択部１１５は、再生リストの中から、音声再生機器の使用環境と関連付けされた再生リストを選択する。再生リスト選択部１１５は、使用環境の情報の変化に応じて再生リストを切り替える再生リスト選択処理を行う。
【００６３】
各使用環境に対応した再生リストは、予めＵＩ操作で作成および編集することができる。
【００６４】
図６の（ａ）〜（ｄ）は、本実施形態に係る再生リストを示す表である。図７は、本実施形態に係る音声再生機器における、再生リストの切り替わりを示すシーケンスチャートである。
【００６５】
ＧＰＳ受信機が音声再生機器の位置が自宅であると検知した結果、状況判断部１１２が自宅と判断した使用環境と、図６の（ａ）に示す「再生リスト：自宅」が関連付けられている。図６の（ａ）に示すように、「再生リスト：自宅」には、１．赤い歌、２．青い歌、３．白い歌、４．黒い歌の順に曲が登録されている。
【００６６】
また、モーションセンサがジョギング中であると検知し、かつ、ＧＰＳ受信機が移動を検知し、かつ、経路保存アプリが起動中である結果、状況判断部１１２がジョギング中と判断した使用環境と、図６の（ｂ）に示す「再生リスト：ジョギング」とが関連付けられている。図６の（ｂ）に示すように、「再生リスト：ジョギング」には、１．猫の歌、２．犬の歌、３．鳥の歌、４．魚の歌の順に曲が登録されている。
【００６７】
また、モーションセンサが車で移動中であると検知し、かつ、ＧＰＳ受信機が移動を検知し、かつ、カーナビアプリが起動中である結果、状況判断部１１２が車で移動中と判断した使用環境と、図６の（ｃ）に示す「再生リスト：ドライブ」とが関連付けられている。図６の（ｃ）に示すように、「再生リスト：ドライブ」には、１．山の歌、２．海の歌、３．谷の歌、４．川の歌の順に曲が登録されている。
【００６８】
さらに、ＧＰＳ受信機が音声再生機器の位置が友人宅であると検知した結果、状況判断部１１２が友人宅と判断した使用環境と、図６の（ｄ）に示す「再生リスト：聞かせたい」とが関連付けられている。図６の（ｄ）に示すように、「再生リスト：聞かせたい」には、１．オリオン、２．カシオペア、３．ジェミニ、４．ペルセウスの順に曲が登録されている。
【００６９】
図７に示すように、音声再生機器１は、ＧＰＳ受信機が音声再生機器１の位置が自宅であると検知した結果、状況判断部１１２が、使用環境が自宅と判断した場合、「再生リスト：自宅」を使用して、１．赤い歌から順に曲を再生する。
【００７０】
また、音声再生機器１は、モーションセンサがジョギング中であると検知し、かつ、ＧＰＳ受信機が移動を検知し、かつ、経路保存アプリが起動中である結果、状況判断部１１２が、使用環境がジョギング中と判断した場合、「再生リスト：ジョギング」を使用して、１．猫の歌から順に曲を再生する。
【００７１】
また、音声再生機器１は、ＧＰＳ受信機が音声再生機器１の位置が友人宅であると検知した結果、状況判断部１１２が、使用環境が友人宅と判断した場合、「再生リスト：聞かせたい」を使用して、１．オリオンから順に曲を再生する。
【００７２】
さらに、音声再生機器１は、モーションセンサが車で移動中であると検知し、かつ、ＧＰＳ受信機が移動を検知し、かつ、カーナビアプリが起動中である結果、状況判断部１１２が、使用環境が車で移動中と判断した場合、「再生リスト：ドライブ」を使用して、１．山の歌から順に曲を再生する。
【００７３】
この場合、音声再生機器１は、音楽の再生を一旦停止した後に再開すると、使用環境の変化の有無を問わず、前回使用していた再生リストの、前回停止位置から再生を再開する。
【００７４】
図６の（ａ）に示すように、例えば、音声再生機器１は、「再生リスト：自宅」の前回停止位置が、１．赤い歌の１分１０秒であった場合、次に「再生リスト：自宅」を使用するときには、１．赤い歌の１分１０秒から再生を再開する。
【００７５】
また、図６の（ｂ）に示すように、音声再生機器１は、「再生リスト：ジョギング」の前回停止位置が、２．犬の歌の２分２０秒であった場合、次に「再生リスト：ジョギング」が使用されるときには２．犬の歌の２分２０秒から再生を再開する。
【００７６】
また、図６の（ｃ）に示すように、音声再生機器１は、「再生リスト：ドライブ」の前回停止位置が、３．谷の歌の３分３０秒であった場合、次に「再生リスト：ドライブ」が使用されるときには３．谷の歌の３分３０秒から再生を再開する。
【００７７】
さらに、図６の（ｄ）に示すように、音声再生機器１は、「再生リスト：聞かせたい」の前回停止位置が、４．ペルセウスの４分４０秒であった場合、次に「再生リスト：聞かせたい」が使用されるときには４．ペルセウスの４分４０秒から再生を再開する。
【００７８】
（音声再生機器１の処理）
図８の（ａ）は、本実施形態に係る音声再生機器１における、使用環境の登録の処理を示すフローチャートである。
【００７９】
（ステップＳ４０１）
音声再生機器１の制御部１１は、まず、入力部１４を介して、ユーザによる登録の操作が行われたか否かを判定する。登録操作が行われたと判定した場合（ステップＳ４０１のＹＥＳ）、制御部１１は、ステップＳ４０２の処理を行う。登録操作が行われていないと判定した場合（ステップＳ４０１のＮＯ）、制御部１１は、ステップＳ４０１の判定を再度行う。
【００８０】
（ステップＳ４０２）
次に、通信機器接続部１１７は、通信部１６を介して、使用環境の情報を受信する。
【００８１】
（ステップＳ４０３）
そして、通信機器接続部１１７は、使用環境の情報を登録する。
【００８２】
（ステップＳ４０４）
再生リスト関連付け部１１６は、登録した使用環境の環境名と「再生リスト無し」とを関連付ける。
【００８３】
図８の（ｂ）は、本実施形態に係る音声再生機器１における、再生開始操作の処理を示すフローチャートである。
【００８４】
（ステップＳ５０１）
音声再生機器１の制御部１１は、まず、入力部１４を介して、ユーザによる再生開始の操作が行われたか否かを判定する。再生開始操作が行われたと判定した場合（ステップＳ５０１のＹＥＳ）、制御部１１は、ステップＳ５０２の判定を行う。再生開始操作が行われていないと判定した場合（ステップＳ５０１のＮＯ）、制御部１１は、ステップＳ５０１の判定を再度行う。
【００８５】
（ステップＳ５０２）
再生リスト選択部１１５は、再生する再生リストを指定されているか否かを判定する。
【００８６】
再生する再生リストが指定されていると判定した場合（ステップＳ５０２のＹＥＳ）、再生リスト選択部１１５は、指定された再生リストの情報を再生リスト関連付け部１１６に出力する。その後、制御部１１は、ステップＳ５０５の処理を実行する。
【００８７】
再生する再生リストが指定されていないと判定した場合（ステップＳ５０２のＮＯ）、再生リスト選択部１１５は、ステップＳ５０３の判定を行う。
【００８８】
（ステップＳ５０３）
再生リスト選択部１１５は、使用環境の環境名と関連付けされた再生リストがあるか否かを判定する。
【００８９】
使用環境の環境名と関連付けされた再生リストがあると判定した場合（ステップＳ５０３のＹＥＳ）、制御部１１は、ステップＳ５０６の処理を実行する。
【００９０】
使用環境の環境名と関連付けされた再生リストがないと判定した場合（ステップＳ５０３のＮＯ）、制御部１１は、ステップＳ５０４の処理を実行する。
【００９１】
（ステップＳ５０４）
制御部１１は、ユーザに再生リストの指定を促すためのメッセージ（例えば、「お好みの再生リストを指定してください。」等）を表示部１３に表示させる。そして、制御部１１は、入力部１４を介してユーザの指定操作を受け付けて、ユーザに指定された再生リストの情報を再生リスト関連付け部１１６に出力する。
【００９２】
（ステップＳ５０５）
再生リスト関連付け部１１６は、使用環境の環境名と、ユーザ指定の再生リストとを関連付ける。
【００９３】
（ステップＳ５０６）
音声再生部１１３は、記憶部１２から使用環境の環境名と関連付けられた再生リストを取得して音声コンテンツを再生する。
【００９４】
（実施形態２の効果）
本実施形態によれば、音楽再生機器の使用環境が変化した場合に、変化後の使用環境に応じて再生リストを切り替えて、切り替え後の再生リストに従って音声コンテンツを再生する。このため、ユーザ自身が再生リストを選択しなくても、音声再生機器の使用環境の変化に応じて再生リストを切り替えることができる。
【００９５】
〔実施形態３〕
本発明の実施形態３について、以下に説明する。なお、説明の便宜上、上記実施形態にて説明した部材と同じ機能を有する部材については、同じ符号を付記し、その説明を繰り返さない。
【００９６】
本発明の実施形態３に係る音声再生機器１は、少なくとも１つの制御部１１と、少なくとも１つの通信部１６と、少なくとも１つの記憶部１２と、を備える音声再生機器１であって、記憶部１２は、再生リストを記憶しており、制御部１１は、通信部１６を介して、音声再生機器１を使用するユーザの状態を判別する判別処理と、上記再生リストが指定されていない場合、記憶部１２から当該ユーザの状態に応じた再生リストを取得して音声コンテンツを再生する再生処理と、を行う。
【００９７】
本実施形態に係る音声再生機器１は、人体センサまたは時計をさらに備えている。人体センサは、例えば、脈拍センサ、血圧センサ、体温センサ、加速度センサ、地磁気センサ等である。時計は、ユーザによって時刻が設定される時計であってもよいし、電波時計であってもよい。
【００９８】
制御部１１は、人体センサまたは時計から音声再生機器１を使用するユーザの状態の情報を取得する情報取得処理、取得したユーザの状態と再生リストとを関連付ける処理等を行う。記憶部１２は、音声再生機器１を使用するユーザの状態の登録情報等を記憶する。
【００９９】
状況判断部１１２は、人体センサおよび時計を介して取得した情報から音声再生機器１を使用するユーザの状態（例えば、ストレス状態、安静状態、就寝時等）を判別する。音声再生部１１３は、記憶部１２からユーザの状態に応じた再生リストを取得して音声コンテンツを再生する。再生リスト関連付け部１１６は、再生リスト作成部１１４で作成した各再生リストと各ユーザの状態とを関連付ける。再生リスト選択部１１５は、再生リストの中から、音声再生機器を使用するユーザの状態と関連付けされた再生リストを選択する。再生リスト選択部１１５は、ユーザの状態の情報の変化に応じて再生リストを切り替える再生リスト選択処理を行う。
【０１００】
各ユーザの状態に対応した再生リストは、予めＵＩ操作で作成および編集することができる。
【０１０１】
図９（ａ）〜（ｃ）は、本実施形態に係る再生リストを示す表である。図１０は、本実施形態に係る音声再生機器における、再生リストの切り替わりを示すシーケンスチャートである。
【０１０２】
人体センサがストレス状態であると検知した結果、状況判断部１１２がストレス状態と判断した場合のユーザの状態と、図９の（ａ）に示す「再生リスト：落ち着く」とが関連付けられている。図９の（ａ）に示すように、「再生リスト：落ち着く」には、１．赤い歌、２．青い歌、３．白い歌、４．黒い歌の順に曲が登録されている。
【０１０３】
また、人体センサが安静状態であると検知し、かつ、時計が昼間であると検知した結果、状況判断部１１２が安静状態と判断したユーザの状態と、図９の（ｂ）に示す「再生リスト：明るく」とが関連付けられている。図９の（ｂ）に示すように、「再生リスト：明るく」には、１．猫の歌、２．犬の歌、３．鳥の歌、４．魚の歌の順に曲が登録されている。
【０１０４】
さらに、時計が深夜であると検知した結果、状況判断部１１２が就寝時と判断したユーザの状態と、図９の（ｃ）に示す「再生リスト：安眠」とが関連付けられている。図９の（ｃ）に示すように、「再生リスト：安眠」には、１．山の歌、２．海の歌、３．谷の歌、４．川の歌の順に曲が登録されている。
【０１０５】
図１０に示すように、音声再生機器１は、人体センサがストレス状態であると検知した結果、状況判断部１１２が、ユーザがストレス状態と判断した場合、「再生リスト：落ち着く」を使用して、１．赤い歌から順に曲を再生する。
【０１０６】
また、音声再生機器１は、人体センサが安静状態であると検知し、かつ、時計が昼間であると検知した結果、状況判断部１１２が、ユーザが安静状態と判断した場合、「再生リスト：明るく」を使用して、１．猫の歌から順に曲を再生する。
【０１０７】
さらに、音声再生機器１は、時計が深夜であると検知した結果、状況判断部１１２が、ユーザが就寝時と判断した場合、「再生リスト：安眠」を使用して、１．山の歌から順に曲を再生する。
【０１０８】
この場合、音声再生機器１は、音楽の再生を一旦停止した後に再開すると、ユーザの状態の変化の有無を問わず、前回使用していた再生リストの、前回停止位置から再生を再開する。
【０１０９】
図９の（ａ）に示すように、例えば、音声再生機器１は、「再生リスト：落ち着く」の前回停止位置が、１．赤い歌の１分１０秒であった場合、次に「再生リスト：落ち着く」を使用するときには、１．赤い歌の１分１０秒から再生を再開する。
【０１１０】
また、図９の（ｂ）に示すように、音声再生機器１は、「再生リスト：明るく」の前回停止位置が、２．犬の歌の２分２０秒であった場合、次に「再生リスト：明るく」が使用されるときには２．犬の歌の２分２０秒から再生を再開する。
【０１１１】
さらに、図９の（ｃ）に示すように、音声再生機器１は、「再生リスト：安眠」の前回停止位置が、３．谷の歌の３分３０秒であった場合、次に「再生リスト：安眠」が使用されるときには３．谷の歌の３分３０秒から再生を再開する。
【０１１２】
（音声再生機器１の処理）
図１１の（ａ）は、本実施形態に係る音声再生機器１における、ユーザの状態の登録の処理を示すフローチャートである。
【０１１３】
（ステップＳ６０１）
音声再生機器１の制御部１１は、まず、入力部１４を介して、ユーザによる登録の操作が行われたか否かを判定する。登録操作が行われたと判定した場合（ステップＳ６０１のＹＥＳ）、制御部１１は、ステップＳ６０２の処理を行う。登録操作が行われていないと判定した場合（ステップＳ６０１のＮＯ）、制御部１１は、ステップＳ６０１の判定を再度行う。
【０１１４】
（ステップＳ６０２）
次に、通信機器接続部１１７は、通信部１６を介して、ユーザの状態の情報を受信する。
【０１１５】
（ステップＳ６０３）
そして、通信機器接続部１１７は、ユーザの状態の情報を登録する。
【０１１６】
（ステップＳ６０４）
再生リスト関連付け部１１６は、登録したユーザの状態の状態名と「再生リスト無し」とを関連付ける。
【０１１７】
図１１の（ｂ）は、本実施形態に係る音声再生機器１における、再生開始操作の処理を示すフローチャートである。
【０１１８】
（ステップＳ７０１）
音声再生機器１の制御部１１は、まず、入力部１４を介して、ユーザによる再生開始の操作が行われたか否かを判定する。再生開始操作が行われたと判定した場合（ステップＳ７０１のＹＥＳ）、制御部１１は、ステップＳ７０２の判定を行う。再生開始操作が行われていないと判定した場合（ステップＳ７０１のＮＯ）、制御部１１は、ステップＳ７０１の判定を再度行う。
【０１１９】
（ステップＳ７０２）
再生リスト選択部１１５は、再生する再生リストを指定されているか否かを判定する。
【０１２０】
再生する再生リストが指定されていると判定した場合（ステップＳ７０２のＹＥＳ）、再生リスト選択部１１５は、指定された再生リストの情報を再生リスト関連付け部１１６に出力する。その後、制御部１１は、ステップＳ７０５の処理を実行する。
【０１２１】
再生する再生リストが指定されていないと判定した場合（ステップＳ７０２のＮＯ）、再生リスト選択部１１５は、ステップＳ７０３の判定を行う。
【０１２２】
（ステップＳ７０３）
再生リスト選択部１１５は、ユーザの状態の状態名と関連付けされた再生リストがあるか否かを判定する。
【０１２３】
ユーザの状態の状態名と関連付けされた再生リストがあると判定した場合（ステップＳ７０３のＹＥＳ）、制御部１１は、ステップＳ７０６の処理を実行する。
【０１２４】
ユーザの状態の状態名と関連付けされた再生リストがないと判定した場合（ステップＳ７０３のＮＯ）、制御部１１は、ステップＳ７０４の処理を実行する。
【０１２５】
（ステップＳ７０４）
制御部１１は、ユーザに再生リストの指定を促すためのメッセージ（例えば、「お好みの再生リストを指定してください。」等）を表示部１３に表示させる。そして、制御部１１は、入力部１４を介してユーザの指定操作を受け付けて、ユーザに指定された再生リストの情報を再生リスト関連付け部１１６に出力する。
【０１２６】
（ステップＳ７０５）
再生リスト関連付け部１１６は、ユーザの状態の状態名と、ユーザ指定の再生リストとを関連付ける。
【０１２７】
（ステップＳ７０６）
音声再生部１１３は、記憶部１２からユーザの状態の状態名と関連付けられた再生リストを取得して音声コンテンツを再生する。
【０１２８】
（実施形態３の効果）
本実施形態によれば、音楽再生機器を使用するユーザの状態が変化した場合に、変化後のユーザの状態に応じて再生リストを切り替えて、切り替え後の再生リストに従って音声コンテンツを再生する。このため、音楽再生機器を使用するユーザ自身が再生リストを選択しなくても、当該ユーザの状態の変化に応じて再生リストを切り替えることができる。
【０１２９】
〔まとめ〕
本発明の態様１に係る音声再生機器（１）は、少なくとも１つの制御装置（１１）と、少なくとも１つの通信装置（１６）と、少なくとも１つの記憶装置（１２）と、を備える音声再生機器であって、上記記憶装置は、再生リストを記憶しており、上記制御装置は、上記通信装置を介して、当該音声再生機器に接続された音声出力機器（スピーカ２、ヘッドホン３、カーオーディオ４）の種類を判別する判別処理と、上記再生リストが指定されていない場合、上記記憶装置から当該音声出力機器の種類に応じた再生リストを取得して音声コンテンツを再生する再生処理と、を行う。
【０１３０】
上記の構成によれば、音声再生機器は、接続された音声出力機器の種類に応じた音声コンテンツを再生することができる。
【０１３１】
本発明の態様２に係る音声再生機器は、少なくとも１つの制御装置と、少なくとも１つの通信装置と、少なくとも１つの記憶装置と、を備える音声再生機器であって、上記記憶装置は、再生リストを記憶しており、上記制御装置は、上記通信装置を介して、当該音声再生機器の使用環境を判別する判別処理と、上記再生リストが指定されていない場合、上記記憶装置から当該使用環境に応じた再生リストを取得して音声コンテンツを再生する再生処理と、を行う。
【０１３２】
上記の構成によれば、音声再生機器は、音声再生機器の使用環境に応じた音声コンテンツを再生することができる。
【０１３３】
本発明の態様３に係る音声再生機器は、上記態様２において、モーションセンサまたはＧＰＳ受信機をさらに備え、上記制御装置は、上記モーションセンサ、上記ＧＰＳ受信機、または上記記憶装置から取得して実行するアプリから上記使用環境の情報を取得する情報取得処理と、当該使用環境の情報の変化に応じて上記再生リストを切り替える再生リスト選択処理と、を行ってもよい。
【０１３４】
上記の構成によれば、音声再生機器は、モーションセンサ、ＧＰＳ受信機、または記憶装置から取得して実行するアプリから使用環境の情報を受信することにより、当該使用環境の情報の変化に応じて音声コンテンツを再生することができる。
【０１３５】
本発明の態様４に係る音声再生機器は、少なくとも１つの制御装置と、少なくとも１つの通信装置と、少なくとも１つの記憶装置と、を備える音声再生機器であって、上記記憶装置は、再生リストを記憶しており、上記制御装置は、上記通信装置を介して、当該音声再生機器を使用するユーザの状態を判別する判別処理と、上記再生リストが指定されていない場合、上記記憶装置から当該ユーザの状態に応じた再生リストを取得して音声コンテンツを再生する再生処理と、を行う。
【０１３６】
上記の構成によれば、音声再生機器は、音声再生機器を使用するユーザの状態に応じた音声コンテンツを再生することができる。
【０１３７】
本発明の態様５に係る音声再生機器は、上記態様４において、人体センサまたは時計をさらに備え、上記制御装置は、上記人体センサまたは上記時計から上記ユーザの状態の情報を取得する情報取得処理と、当該ユーザの状態の情報の変化に応じて上記再生リストを切り替える再生リスト選択処理と、を行ってもよい。
【０１３８】
上記の構成によれば、音声再生機器は、人体センサまたは時計からユーザの状態の情報を受信することにより、当該ユーザの状態の情報の変化に応じて音声コンテンツを再生することができる。
【０１３９】
本発明の態様６に係る音声再生機器は、上記態様１〜５のいずれかにおいて、上記制御装置は、上記再生リスト毎に再生位置を上記記憶装置に記憶させる記憶処理をさらに行ってもよい。
【０１４０】
上記の構成によれば、音声再生機器は、音声コンテンツの再生頻度を均等にすることができるため、音声コンテンツを満遍なく再生することができる。
【０１４１】
本発明の態様７に係る制御装置は、音声再生機器を制御する制御装置であって、当該音声再生機器に接続された音声出力機器の種類を判別する判別処理と、再生リストが指定されていない場合、当該音声出力機器の種類に応じた再生リストを取得して音声コンテンツを再生する再生処理と、を行う。
【０１４２】
上記の構成によれば、音声再生機器に対して、接続された音声出力機器の種類に応じた音声コンテンツを再生することができる制御装置を実現することができる。
【０１４３】
本発明の態様８に係る制御方法は、音声再生機器を制御する制御方法であって、当該音声再生機器に接続された音声出力機器の種類を判別するステップと、再生リストが指定されていない場合、当該音声出力機器の種類に応じた再生リストを取得して音声コンテンツを再生するステップと、を含んでいる。
【０１４４】
上記の構成によれば、音声再生機器に対して、接続された音声出力機器の種類に応じた音声コンテンツを再生することができる制御方法を実現することができる。
【０１４５】
本発明の各態様に係る制御装置は、コンピュータによって実現してもよく、この場合には、コンピュータを上記制御装置が備える各部（ソフトウェア要素）として動作させることにより上記制御装置をコンピュータにて実現させる制御装置のプログラム、およびそれを記録したコンピュータ読み取り可能な記録媒体も、本発明の範疇に入る。
【０１４６】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１４７】
１  音声再生機器
２  スピーカ（音声出力機器）
３  ヘッドホン（音声出力機器）
４  カーオーディオ（音声出力機器）
５  音声再生システム
１１  制御部（制御装置）
１２  記憶部（記憶装置）
１３  表示部
１４  入力部
１５  検知部
１６  通信部（通信装置）
１１１  音声出力機器判別部
１１２  状況判断部
１１３  音声再生部
１１４  再生リスト作成部
１１５  再生リスト選択部
１１６  再生リスト関連付け部
１１７  通信機器接続部
１１８  楽曲デコード部
【図１】
2019158933.tif 000003
【図２】
2019158933.tif 000004
【図３】
2019158933.tif 000005
【図４】
2019158933.tif 000006
【図５】
2019158933.tif 000007
【図６】
2019158933.tif 000008
【図７】
2019158933.tif 000009
【図８】
2019158933.tif 000010
【図９】
2019158933.tif 000011
【図１０】
2019158933.tif 000012
【図１１】
2019158933.tif 000013